(57)【要約】【課題】  左右に曲がる際に後方の台車との角度が鋭角になっても足を挟む恐れがない安全でかつ幼児が自分で嵌めることができる乗用玩具用簡易連結器を提供することを目的とする。【解決手段】  乗用玩具に取り付けた連結棒と他方の車両に取り付けた連結棒を筒状のカバーの内部に挿入し、筒状のカバーの上部よりピンを挿通することによって、双方の車両を連結するように構成した乗用玩具の連結器であって、各連結棒が筒状のカバーの内部で上下左右動できるようにピンを連通させるための穴とテーパーが設けられている。【選択図】図１
2014117595.tif 000002
【特許請求の範囲】
【請求項１】
乗用玩具に取り付けた連結棒と他方の車両に取り付けた連結棒を筒状のカバーの内部に挿入し、筒状のカバーの上部よりピンを挿通することによって、双方の車両を連結するように構成した乗用玩具の連結器であって、各連結棒が筒状のカバーの内部で上下左右動できるようにピンを連通させるための穴とテーパーがつけてあることを特徴とする安全カバー付き乗用玩具用連結器。
【発明の詳細な説明】
【技術分野】
【０００１】  本発明は、例えば汽車型乗用玩具と箱型の貨車、客車などの乗用玩具と台車又は乗用玩具同士の連結に使用する乗用玩具用連結器に関するものである。
【背景技術】
【０００２】  乗用玩具と台車の連結に使用される連結器は、連結部にピンを差し込んで連結させるものがあるが、この場合、幼児がハンドルを持って左右に曲がるときに乗用玩具と後方の台車との角度が鋭角になると足を挟む恐れがあるため、足蹴り式ではなくペダル式の乗用玩具でないと使えなかった。
また、木製乗用玩具や電池でうごかす電車型の玩具においては、金具（フック）で連結させるものがある。
【発明が解決しようとする課題】
【０００３】  以上の如く構成した連結器は、構造が簡単で連結操作も嵌めあわせればよいという利点を備えているが、足蹴り式には不向きであり、金具（フック）においては、むきだしになっているため、転倒時に金具（フック）先端で幼児が怪我しやすいという欠点があった。
【０００４】  従って本発明の技術的課題は、安全カバーの中に乗用玩具と台車にそれぞれ固定された連結棒をそれぞれ安全カバーの横から挿入し上からピンで挿通することにより、連結操作が安全でかつ幼児が自分でできるよう容易な乗用玩具用連結器を提供することである。
【課題を解決するための手段】
【０００５】  上記の技術的課題を解決するために、乗用玩具の後部と台車の前部に取り付けた接合板に連結棒をピンで挿通し、それぞれの連結棒を筒状の安全カバーの中で嵌合させて、上からピンで挿通して連結させる。
【発明の効果】
【０００６】このように連結させると、乗用玩具と台車に規制ができ、足蹴り式の乗用玩具でも幼児が足を挟む危険性が低くなり、金具（フック）などの鋭利な突起物はないため、転倒時に怪我をする危険性がなくなった。
【図面の簡単な説明】
【０００７】
【図１】本発明の実施例における汽車型乗用玩具と箱型の貨車を連結させたときの使用状態を表す参考斜視図である。
【図２】本発明の実施例における簡易連結器の斜視図である。
【図３】同じく簡易連結器の嵌合図である。
【図４】同じく簡易連結器の連結具に挿通する大ピンの正面図である。
【図５】同じく簡易連結器を構成する連結棒の上面図である。
【図６】同じく簡易連結器を構成する連結棒の斜視図である。
【図７】同じく簡易連結器を構成する筒状の安全カバーの正面図である。
【図８】同じく簡易連結器を構成する筒状の安全カバーの斜視図である。
【図９】同じく接合板を貨車にとりつけたときの斜視図である。
【発明を実施するための形態】
【０００８】  以下、図面に基づき本発明を詳しく説明する。
図１は汽車型乗用玩具Ｔの後部と箱型の貨車Ｋの前部には、四隅をネジで固定した接合板３がそれぞれ取り付けられており、あらかじめあけておいた接合板３の穴の中に連結棒１をそれぞれ挿入し、接合板３の上から小ピン４を挿通しておく。こうしてそれぞれの連結棒を安全カバー２の中で嵌合、大ピン５を安全カバー２の上から挿通して汽車型乗用玩具Ｔと箱型の貨車Ｋを連結させたときの全体図である。
図２、図３は、これら簡易連結器を拡大して示した斜視図、嵌合図である。
【０００９】  上述した連結棒１は、図５、図６に示したとおり、連結棒の先端部（安全カバー側）１ｂを丸ノミや紙やすりを使って削成し、大ピン５を連通させるための穴をあけ、安全カバー２の中で上下左右動できるようテーパーをつけておく。このときテーパーをつけすぎると左右動の幅が大きくなり、幼児が乗って左右に曲がる際に連結器で指や足を挟み込みやすくなるため、緩やかなテーパーをつける。
連結棒１の先端部（乗用玩具側）１ａは、接合板３の中で左右動した際に、角が当たらないように丸ノミやノコギリやカンナをもちいて角を削成し、小ピン４を上から連通させるための穴をあけておく。
【００１０】  安全カバー２は、図２、図３に示すように互いの連結棒を安全カバー２の内部で嵌合、大ピン５を連通させて、左右動させるために連結棒を通すための横穴２ａは、連結棒を嵌合した肉厚寸法よりも数ミリ大きくあける。
また、大ピン５を通すための縦穴２ｂもあけておくが、連通させるためにその大きさは、連結棒の先端部（安全カバー側）１ｂに設けた穴と同じ大きさにしておかなければならない。
【００１１】  このように汽車型乗用玩具Ｔと箱型の貨車Ｋとの間に、連結棒と安全カバーがあるため、幼児がまたがって乗って左右に曲がる際に角度が鋭角にならないように制御できて、幼児の指や足が挟まりにくくなる。
図９のように貨車に蓋があり乗用できるものは、汽車型乗用玩具Ｔと連結させて２人で乗っても指や足が挟まりにくい。
【００１２】  幼児が自分で連結する場合は、連結棒の先端部（乗用玩具側）１ａを接合板３の穴の中にいれ、脱落しないように小ピン４をさしこみ、連結棒の先端部（安全カバー側）１ｂを安全カバー２の円弧に沿うように挿通すれば大ピン５は連結棒１に当たることなく通るので、容易に連結することができるが、図３に示すように連結棒１は互いが同じ向きのままでは、嵌合することができず、一方が上向きにつければ、他方は下向きにつけなければならない。
連結をしない場合は、大ピン５を抜けば連結棒１は固定されないため、自然に汽車型乗用玩具Ｔと箱型の貨車Ｋが離れることとなるので、幼児一人でも容易に操作しやすく、簡易連結器自体が不要の場合は接合板３を固定している四隅のネジを外せばよい。
【００１３】  図１に示した実施例では、汽車型乗用玩具Ｔと箱型の貨車Ｋであるが、接合板３がネジや接着剤などで固定できるものであれば、連結させるものは汽車型と貨車でなくてもよく、乗用玩具と動物型などのように連結させる車の形状は問わないが、接着剤で固定したものは、接合板３が外れないのでネジで固定できる材質のものが好ましい。
【符号の説明】
【００１４】  Ｔ  汽車型乗用玩具
Ｋ  箱型の貨車
Ｋ１  箱型の貨車乗用タイプ
１  連結棒
１ａ  連結棒の先端部（乗用玩具側）
１ｂ  連結棒の先端部（安全カバー側）
２  安全カバー
２ａ  連結棒を通すための横穴
２ｂ  大ピンを通すための縦穴
３  接合板
４  小ピン
５  大ピン
【図１】
2014117595.tif 000003
【図２】
2014117595.tif 000004
【図３】
2014117595.tif 000005
【図４】
2014117595.tif 000006
【図５】
2014117595.tif 000007
【図６】
2014117595.tif 000008
【図７】
2014117595.tif 000009
【図８】
2014117595.tif 000010
【図９】
2014117595.tif 000011